(57)【特許請求の範囲】
【請求項１】
自動車のフロントウインドウの上方に設けられるものであってスライド状に出し入れ自在で柔軟な板状ひさし、該ひさしを自動車の屋根部にスライド自在に収納するひさし収納手段、およびその一端が上記のひさしの先端に結合しその他端が自動車の車体にスライド自在または回動自在に保持される一対の棒状のひさし保持手段、より構成されることを特徴とした自動車のスライド状に出し入れ自在な柔軟で板状のひさし。
【発明の詳細な説明】
【０００１】
【発明の属する技術分野】
本発明は、広くは自動車の付属部品に関するものであり、特に自動車のフロントウインドウの保護用付属品に関するものである。就中、自動車のフロントウインドウの上方に装着されるものであつて、遮光と雨雪の防御を調節可能にその収納部にスライド状に出し入れ自在で柔軟な板状のひさしに関するものである。
【０００２】
【従来の技術】
従来、自動車のウインドウは防風雨用のものであり、特に雨や雪の侵入よけのウインドウである。雨や雪は、ウインドウの視界を妨げる。また、冬の夜間野外で駐車しているとそのウインドウに霜がつく。それらの防止ために、ウインドワイパーが自動車のウインドウにはついている。
【０００３】
【発明が解決しようとする課題】
自動車のウインドウについているウインドウワイパーは、降雨や降雪が特に多い時には、その働きが鈍くてウインドウの視界を充分に確保できない。また、降雨や降雪が特に多い時でない場合でも、そのワイパーの動きが視界の邪魔をしてわずらわしい。さらには、ウインドウの霜は除去するので容易ではない。一方、真夏の日中に炎天下で駐車していると、その自動車の屋根が焼けつき車内が非常な高温になり、乗車時に大変不快である。そればかりでなく、その車中に取り残された幼児が炎熱死したことも多々あった。
【０００４】
【課題を解決するための手段】
本発明にかかる自動車のスライド状に出し入れ自在な柔軟で板状のひさしは、以上の問題点を解決するために、自動車のウインドウの上方にスライド状に収納自在な柔軟な板状のひさしを設けるものとした。そして、一対の棒状のひさし保持手段が、上記のひさしを支えると同時に、そのひさしの引き出す度合いとか傾斜角度を調節する。
【０００５】
以下に、本発明にかかる自動車のスライド状に出し入れ自在な柔軟で板状のひさしの具体的な構成を詳細に記載する。この発明はまず、自動車のフロントウインドウの上方に設けられるひさしがある。このひさしは、スライド状に出し入れ自在で、柔軟な板状のものである。そして、ひさし収納手段がある。このひさし収納手段は、上記のひさしを自動車の屋根部にスライド自在に収納するものである。最後に、一対の棒状のひさし保持手段がある。この一対の棒状のひさし保持手段は、その一端が上記のひさしの先端に結合しその他端が自動車の車体にスライド自在または回動自在に保持されるものである。
【０００６】
【発明の実施の形態】
以下に、本発明にかかる自動車のスライド状に出し入れ自在な柔軟で板状のひさしの一般的な実施の形態を述べる。自動車のフロントウインドウの上方に設けられるスライド状に出し入れ自在で柔軟な板状のひさしがあって、ひさし収納手段がこの柔軟な板状のひさしを自動車の屋根部３１に収納する。そして、一対の棒状の縦ロッドを主とするひさし保持手段が、自動車の走行時の風圧から守っている。その上に、この縦ロッドは、そのひさし保持手段のロッドの回動や上下や前後へのスライド具合によって、そのひさしの先端部を引き出すその引き出し長さを自在に調節できる。と同時に、そのひさしの先端部の傾斜角度をも自在に調節できる。
【０００７】
【実施例】
しかして、本発明の自動車のスライド状に出し入れ自在な柔軟で板状のひさしをその具体的な実施例を用いて添付の図面と共に詳細に述べる。まず、自動車のフロントウインドウの上方に設けられるスライド状に出し入れ自在なひさし１１がある。このスライド状に出し入れ自在のひさし１１は、図１と２に示すごとくに柔軟な板状のものである。そして、ひさし収納手段２０がある。このひさし収納手段２０は、上記の柔軟な板状のひさし１１を自動車３０の屋根部３１にスライド自在に収納するものである。なお、これらの部分の図面は、説明が分かりやすくするために大きめに描いた。
【０００８】
なお、このひさし収納手段２０は、図２に示すように、その柔軟な板状のひさし１１がスライド自在にはまるものである。そして、このひさし収納手段２０は、そのひさし１１の両側部がスライド自在にはまる溝状のものでもよい。さらに、上記のひさし１１の先端と自動車３０の車体３２との間には、それぞれに一対の棒状の縦ロッドを主とするひさし保持手段４０が設けられていて、自動車３０の走行時の風圧から守っている。このひさし保持手段４０は、上記のひさし１１の先端に繋がる先端横ロッド４１とこの先端横ロッド４１の両端に回動自在に結合しそこから伸びその自動車３０の車体３２にスライド自在または回動自在に結合している一対の縦ロッド（棒状のひさし保持手段）４２から成っている。しかして、この縦ロッド４２に代えて、そのひさし１０の側面方向に設けた側面ロッドとして、それを前後にスライドする構成にしても良い。
【０００９】
したがって、上記のスライド状に出し入れ自在で柔軟な板状のひさし１１はこのひさし自身が持つ柔軟性と、スライド自在性と回動自在性のあるこの一対の縦ロッド４２（または上記の側面ロッド）が持つそのひさしの先端の位置設定の自在性によって、そのひさし１１のスライドによるその出し入れ度すなわちそのひさし１１の先端部１１ａを引き出すその引き出し長さが自在に調節され得る。と同時に、そのひさし１１の先端部１１ａの傾斜角度をも自在に調節され得る。特に、そのロッドが側面ロッドの場合はその制御は容易になる。
【００１０】
しかして、上記のひさし１１の後端部１１ｂは、常にそのひさし収納手段２０内にある故に、そのひさし１１の先端部１１ａが引き出された場合でもそれを保持する状態にある。
【００１１】
【発明の効果】
本発明にかかる自動車のスライド状に出し入れ自在な柔軟で板状のひさしは、以上のごとくになしたゆえに、上記の課題を解決して以下のごとき多大な効果が生じた。すなわち、自動車のウインドウについているウインドウワイパーが、降雨や降雪が特に多い時でもそのひさしがその雨や雪を排除除する故に、その働きが活発でウインドウの視界を充分に確保できる。特に、そのスライド自在で柔軟な板状のひさしは、その縦ロッドにより、その引き出す長さや傾斜角度の変化が可能なので、その降雨や降雪に対応することが容易なものとなった。また、降雨や降雪が特に少ない時には、そのワイパーの使用を殆ど止めることが可能で、そのワイパーの動きが視界の邪魔をしない。そして、その雨や雪が中程度の場合には小雨や小雪程度のワイパーの駆動にできるから、その視界が大変確保できる。さらには、ウインドウの霜もつかない。一方、真夏の日中に炎天下で駐車していても、その自動車の屋根が焼けつき車内が非常な高温になることはないゆえ、乗車時に大変快適である。そればかりでなく、その車中に誤って取り残された幼児が炎熱死するようなことも防げるようになつた。
【図面の簡単な説明】
【図１】本発明にかかる自動車のスライド状に出し入れ自在な柔軟で板状のひさしの一実施例の側面図であって、自動車に取りつけ、且つそのひさしを使用している状態を示したものである。
【図２】図１の実施例の正面図であって、そのひさしが収納された状態を示したものである。
【符号の説明】
１１  柔軟な板状ひさし
２０  ひさし収納手段
３０  自動車
３１  屋根部
３２  車体
４０  ひさし保持手段
４１  縦ロッド
【図１】
0003590596.tif 000002
【図２】
0003590596.tif 000003